(57)【要約】      （修正有）【課題】一方向に力をかける操作のみで、手動レバーのロックの解除と手動レバーの解除位置への回動とができるホース継手用手動レバーを提供する。【解決手段】枢支ピン１１３により枢支される枢支端２１１と作動端２１２とがあるようになり、且つ、その作動端が上下回動可能で、カム手段２１３をホースの係止用溝に嵌め込ませるように回動することで前記ホースを固持でき、且つ、上方に付勢されていて固持状態をロックできるロックピン４１を備えているホース継手用手動レバーにおいて、前記作動端側には、枢接端側と操作端側とを有する作動部が枢接され、且つその枢軸が前記枢接ピンと平行するように配置され、前記枢軸を中心として前記操作端が前記作動端の上方への回動と同じ回動方向に回動されると、ロックピン４１によるロックを解除でき、手動レバーの解除位置への回動もできるように構成されているホース継手用手動レバーを提供する。【選択図】図２
2012013128.tif 000002
【特許請求の範囲】
【請求項１】
上下方向の中孔を有し、且つその周壁に通孔が開けられている継手本体と、上から下へと前記継手本体の前記中孔に挿入した時に前記通孔に臨んでいる係止用溝を外壁に備えたホースと、の二つの部材からなっているホース継手の前記継手本体の周壁外側に、枢支ピンにより枢支される枢支端と該枢支端から離れた作動端とがあるようになり、且つ、その前記作動端が前記枢支ピンを軸として上下回動可能になっており、
その前記枢支端には、カム手段が形成されており、
該カム手段は、
前記作動端が下向きの場合、前記通孔を通って前記継手本体内に入り、また、前記作動端が上向きの場合、前記通孔を経由して前記継手本体内から出ることができるように構成されており、
更に、前記ホースを前記継手本体に挿入した場合、前記カム手段を前記ホースの係止用溝に嵌め込ませるように回動することで、前記ホースを前記継手本体内に係止して固持することができ、
且つ、上下摺動可能に設置されている上、上方に付勢されていて前記固持状態において付勢により固持状態をロックすることができるロックピンを備えているホース継手用手動レバーにおいて、
前記作動端側には、枢接端側と操作端側とを有する作動部が枢接されており、且つ、その枢軸が前記枢支ピンと平行するように配置されており、
前記作動部の前記操作端側の前記操作端が前記枢軸を中心として、前記作動端が上向きになる回動と同じ回動方向に回動されると、前記ロックピンを下方に移動させ、該ロックピンによるロックを解除することができる上、当該ホース継手用手動レバーを、前記固持状態を解除する解除位置へ回動することもできるように構成されていることを特徴とするホース継手用手動レバー。
【請求項２】
前記作動部は、
その前記枢接端側の枢接端における一端側が前記作動端側に枢接されており、
他端側が前記ロックピンの末端近くに枢支されており、
前記操作端が前記一端側の枢軸を中心として該一端側の方に回動されると、前記他端側が前記ロックピンを引っ張って下方に移動させ、前記ロックピンによるロックを解除させることができるように構成されていることを特徴とする請求項１に記載のホース継手用手動レバー。
【請求項３】
前記作動部は、
その前記枢接端側の前記枢接端が、前記作動端の端面から突出している突台と前記ロックピンの末端とを挟んでいる上、
前記一端側が前記突台と、前記他端側が前記ロックピンの前記末端近くとそれぞれ枢接されており、
また、前記ロックピンの前記末端近くの、枢接ピンにより前記作動部の前記他端側と枢接する枢接孔は、上下方向に延びている第１部分と、中央近くが該第１部分の下端と連通する上、前記第１部分と直交するように延びている第２部分とからなっていることを特徴とする請求項２に記載のホース継手用手動レバー。
【請求項４】
前記ロックピンには、上面及び下面を有する作動穴が開けてあり、
また、前記作動部は、その前記枢接端側の前記枢接端における一側が前記作動穴の中に延在するように形成されており、
その前記枢軸による枢接は、前記枢接端の近くにあり、
前記作動部は、前記操作端が前記枢軸を中心として前記枢接端の他側の方に回動されると、前記一側が前記ロックピンの前記作動穴内における前記下面を押し付け、前記ロックピンによるロックを解除することができるように構成されていることを特徴とする請求項１に記載のホース継手用手動レバー。
【請求項５】
前記ロックピンには、作動穴が、上面と下面を有し、且つ、前記下面が第一傾斜面となるように開けられており、
また、前記作動部は、その前記枢軸による枢接が前記枢接端近くにあり、
前記枢接端側の枢接端には、先端面が第二傾斜面となった作動ラグが前記作動穴の中に突入して前記第二傾斜面が前記第一傾斜面と当接するように枢支されていて、
前記作動部の操作端が、前記枢軸を中心として前記作動穴のある方向と反対方向に回動されると、前記作動ラグが前記作動穴のある方向に押し付けられ、前記第二傾斜面の前記第一傾斜面に対する押圧力により、前記ロックピンによるロックを解除することができるように構成されていることを特徴とする請求項１に記載のホース継手用手動レバー。
【発明の詳細な説明】
【技術分野】
【０００１】
本発明は、ホース継手用手動レバーに関し、特に、ホース継手の継手本体に設置され、ホースが前記継手本体に挿入した場合、簡単に回動して前記ホースを係止し、固持することができる手動レバーに関する。
【背景技術】
【０００２】
従来のホース継手１０は、図１に示すように、継手本体１１と、該継手本体１１に挿入できるホース１２と、の二つの部材からなっている。継手本体１１及びホース１２は共に円管体になっているが、ホース１２の方の管径がやや小さく、継手本体１１の上下方向の中孔１１１に上から下へ挿入することができる。また、ホース１２の外壁１２１には環状の係止用溝１２２が形成されており、継手本体１１にはカム機構が設置されており、ホース１２が挿入した場合、カム機構を回動させて係止用溝１２２に嵌め込んで係止することで、ホース１２を継手本体１１内に固持することができる（特許文献１参照）。
【０００３】
図１をもっと詳細にみると、この従来のホース継手１０におけるカム機構は、主として手動レバー１３の形になっている。手動レバー１３は、枢支ピン１１３によって継手本体１１の周壁１１２の外側に枢支されており、枢支端１３１と作動端１３２とを有し、且つ、その作動端１３２が図中の上向き、または下向きになるように回動することができる。また、その枢支端１３１にはカム手段１３３がついており、手動レバー１３の回動によって作動端１３２が下向きになっている場合、カム手段１３３は、継手本体１１の周壁１１２に開けてある通孔１１４を通って継手本体１１内に入り、また、作動端１３２が上向きになっている場合、通孔１１４を経由して継手本体１１内から出ることができる。
【０００４】
また、ホース１２が継手本体１１の中孔１１１に挿入し、係止用溝１２２が丁度継手本体１１の通孔１１４に臨む場合、手動レバー１３の作動端１３２が図中の下向きになるように回動されると、通孔１１４を通ってから継手本体１１内に入ったカム手段１３３は、係止用溝１２２に入り込んで係止され、ホース１２を継手本体１１内に固持することができ、また、手動レバー１３の作動端が図中の上向きになるように回動されると、ホース１２を継手本体１１内に固持したカム手段１３３は、係止用溝１２２、そして通孔１１４から離れ、ホース１２に対する係止固持を解除することができる。
【０００５】
この従来のホース継手１０には、安全操作のために、ロック機構が付設されている。ロック機構は、手動レバー１３のカム手段１３３でホース１２の係止用溝１２２を係止してホース１２を継手本体１１の中孔１１１内に固持した場合、手動レバー１３を固持位置に解除可能にロックするものである。図に示めすように、この従来の手動レバー１３におけるロック機構は、主としてロックピン１４からなっている。このロックピン１４は、手動レバー１３に形成された貫孔１３４内に上下摺動可能に設置されており、且つバネ１４２によって上へ付勢されていて、手動レバー１３のカム手段１３３がホース１２の係止用溝１２２を係止してホース１２を継手本体１１の中孔１１１内に固持した場合、図中の上へ移動し、その先端１４１が継手本体１１の周壁１１２に設置されている係止穴１１５に挿入して係止され、手動レバー１３の不意な回動を防止することができる。
【０００６】
継手本体１１とホース１２との係止固持による連結の解除及び分離は、ロックピン１４の末端についている手動環１４３でロックピン１４を図中の下方に引っ張ってロックピン１４の先端１４１を係止穴１１５から脱出させた後、引き続き手動レバー１３と共にロックピン１４を外側上方へ回動させると共に、手動レバー１３をホース１２に対する係止固持を解除する解除位置、つまり作動端１３２が上向きになる位置まで回動させることで完了する。
【０００７】
また、上記解除位置から手動レバー１３を下方に回動させると、ロックピン１４は、その先端１４１がホース継手１０の継手本体１１の係止穴１１５を形成する部分の周壁１１６と当接しながら貫孔１３４の図中下方から徐々に貫孔１３４内に入り、係止穴１１５に臨む位置まで達した瞬間にバネ１４２の付勢によって貫孔１３４の図中上方から突出して係止穴１１５に挿入され、係止穴１１５に係止される。このようにして、手動レバー１３がホース１２を固持する固持位置に移動する。つまり作動端１３２が下向きになる位置まで戻ると共に、上記固持位置をロックすることができる。
【先行技術文献】
【特許文献】
【０００８】
【特許文献１】実用新案登録第２５２８６８２号公報
【発明の概要】
【発明が解決しようとする課題】
【０００９】
このような従来のホース継手用手動レバー１３では、ホース継手の継手本体１１からホース１２を分離しようとする場合、手動環１４３を片手で握って操作するだけで、ロックピン１４の先端を係止穴１１５から脱出させ、引き続き手動レバー１３を連続的に解除位置まで回動することができるが、その手動レバー１３の回動操作は、手動環を下に引っ張っている状態のまま外側上方に回動することで行うので、二方向に力を同時にかける必要があり、片手で操作できるにしてもやはり不便である。
【００１０】
本発明は、前記問題点に鑑みてなされたものであり、即ち、本発明は、ホース継手の継手本体からホースを分離しようとする場合、一方向の動作による操作のみで、手動レバーのロックの解除と手動レバーの解除位置への回動とを共に完了することができるホース継手用手動レバーの提供を目的とする。
【課題を解決するための手段】
【００１１】
前記目的を達成するため、本発明は、上下方向の中孔を有し、且つその周壁に通孔が開けてある継手本体と、上から下へと前記継手本体の中孔に挿入した時、前記通孔に臨んでいる係止用溝を外壁に備えたホースと、の二つの部材からなっているホース継手の前記継手本体の周壁外側に、枢支ピンにより枢支される枢支端と該枢支端から離れた作動端とがあるようになり、且つ、その作動端が枢支ピンを軸として上下回動可能になっており、その枢支端にカム手段が形成されており、該カム手段は、前記作動端が下向きの場合、前記通孔を通って前記継手本体内に入り、また、前記作動端が上向きの場合、前記通孔を経由して前記継手本体内から出ることができるように構成されており、更に、前記ホースを前記継手本体に挿入した場合、前記カム手段を前記ホースの係止用溝に嵌め込ませるように回動することで、前記ホースを前記継手本体内に係止して固持することができ、且つ、上下摺動可能に設置されている上、上方に付勢されていて前記固持状態において付勢により固持状態をロックすることができるロックピンを備えているホース継手用手動レバーにおいて、前記作動端側には、枢接端側と操作端側とを有する作動部が枢支されており、且つ、その枢軸が前記枢支ピンと平行するように配置されており、前記作動部の操作端側の操作端が前記枢軸を中心として、前記作動端が上向きになる回動と同じ回動方向に回動されると、前記ロックピンを下方に移動させ、ロックピンによるロックを解除することができる上、手動レバーを解除位置へ回動することもできるように構成されているホース継手用手動レバーを提供する。
【００１２】
前記ホース継手用手動レバーの実施形態として、前記作動部は、その前記枢接端側の枢接端における一端側が前記作動端側に枢接されており、他端側が前記ロックピンの末端近くで枢支されている上、前記操作端が前記一端側の枢軸を中心として該一端側の方に回動されると、前記他端側が前記ロックピンを引っ張って下方に移動させ、ロックピンによるロックを解除することができるように構成されているものが挙げられる。
【００１３】
前記作動部は、その前記枢接端側の枢接端が、前記作動端の端面から突出している突台と前記ロックピンの末端とを挟んでいる上、前記一端側が突台と、他端側が前記ロックピンの末端近くとそれぞれ枢接されており、また、前記ロックピンの末端近くの、枢接ピンにより前記作動部の他端側と枢接する枢接孔は、上下に延びている第１部分と、中央近くが該第１部分の下端と連通する上、前記第１部分と直交するように延びている第２部分とからなっているのが好ましい。
【００１４】
前記ホース継手用手動レバーの実施形態として、また、前記ロックピンには、上面及び下面を有する作動穴が開けてあり、また、前記作動部は、その前記枢接端における一側が前記作動穴の中に延在するように形成されており、その前記枢軸による枢接は、前記枢接端の近くにあり、前記作動部は、操作端側の操作端が前記枢軸を中心として前記枢接端の他側の方に回動されると、前記一側が前記ロックピンの作動穴内における下面を押し付け、前記ロックピンによるロックを解除することができるように構成されているものが挙げられる。
【００１５】
前記ホース継手用手動レバーの実施形態として、更に、前記ロックピンには、作動穴が、上面及び下面を有し、且つ、前記下面が第一傾斜面となるように開けられており、また、前記作動部は、その前記枢軸による枢接が前記枢接端近くにあり、前記枢接端側の枢接端には、先端面が第二傾斜面となった作動ラグが、前記作動穴の中に突入して前記第二傾斜面が前記第一傾斜面と当接するように枢支されていて、前記作動部の操作端側の操作端が、前記枢軸を中心として前記作動穴のある方向と反対方向に回動されると、前記作動ラグが前記作動穴のある方向に押し付けられ、前記第二傾斜面の前記第一傾斜面に対する押圧力により、前記ロックピンによるロックを解除することができるように構成されているものが挙げられる。
【発明の効果】
【００１６】
前記構成による本発明のホース継手用手動レバーでは、前記作動部を外側へ上向きに回動するだけで、前記ロックピンによるロックの解除と、手動レバーの解除位置への回動とが同時にできるので、従来の二方向に力をかける必要がなく、片手で操作するのに非常に便利である。
【図面の簡単な説明】
【００１７】
【図１】従来のホース継手用手動レバーがついているホース継手の分解斜視図である。
【図２】本発明の実施例１のホース継手用手動レバーの分解斜視図である。
【図３】図２のホース継手用手動レバーの組立後の斜視図である。
【図４】図３の側面図である。
【図５】実施例１のホース継手用手動レバーがホース継手の継手本体に枢支されている状態で、前記図４のＶ−Ｖ線に沿った断面図である。
【図６】図５のＶＩ−ＶＩ線に沿った断面図である。
【図７】図５の状態から、作動部を外側へ上向きに回動することを説明する図である。
【図８】実施例１のホース継手用手動レバーが固持位置まで回動された際の図である。
【図９】実施例２のホース継手用手動レバーの分解斜視図である。
【図１０】実施例２のホース継手用手動レバーが継手本体に枢支されている状態の断面図である。
【図１１】図１０のＸＩ−ＸＩ線に沿った断面図である。
【図１２】図１０の状態から、作動部を外側へ上向きに回動することを説明する図である。
【図１３】実施例３のホース継手用手動レバーの分解斜視図である。
【図１４】実施例３のホース継手用手動レバーが継手本体に枢支されている状態の断面図である。
【図１５】図１４のＸＶ−ＸＶ線に沿った断面図である。
【図１６】図１４のＸＶＩ−ＸＶＩ線に沿った断面図である。
【図１７】図１４の状態から、作動部を外側へ上向きに回動することを説明する図である。
【発明を実施するための形態】
【００１８】
以下、図２〜図１７を参照しながら、本発明の実施例を説明する。
なお、以下実施例の説明において、略同一の機能および構成を有する構成要素については、同一符号を付し、重複説明は必要な場合にのみ行う。
【実施例１】
【００１９】
本実施例１におけるホース継手用手動レバーは、上記従来のホース継手とほぼ同様なホース継手（実施例のホース継手について、以後の説明に従来のホース継手１０の符号をそのまま使用する。）に付設されており、即ち、従来の手動レバー１３と同様に、ホース継手１０における継手本体１１の周壁外側に、枢支ピン１１３によって上下回動可能に枢支されている（図１の従来例参照）。
【００２０】
また、図２〜図５に示すように、本実施例１のレバー本体２１は、従来の手動レバー１３と同様に、枢支ピン１１３の枢支により、枢支ピン１１３に近い枢支端２１１と、該枢支端２１１から離れた作動端２１２と、があるようになっている上、枢支端２１１にはカム手段２１３が形成されており、作動端２１２近くの側面には貫孔２２がレバー本体２１の延在方向に沿うように形成されている。また、ロックピン４１は、レバー本体２１の貫孔２２に、該貫孔２２に沿って上下摺動できるように設置されている。
【００２１】
本実施例１のホース継手用手動レバーは、図５に示されるように、枢支ピン１１３によって枢支されているレバー本体２１の他に、レバー本体２１と枢接されている作動部３１を備えており、該作動部３１は、ロックピン４１とも枢接している。
【００２２】
図に示めすように、カム手段２１３は、レバー本体２１の作動端２１２が下向きの場合、継手本体１１の周壁に開けてある通孔１１４を通って継手本体１１内に入り、ホース１２の外壁に形成されている環状の係止用溝１２２を係止してホース１２を継手本体１１の中孔１１１内に固持し、作動端２１２が上向きの場合、カム手段２１３が通孔１１４を経由して継手本体１１内から出て、係止用溝１２２への固持を解除することができる（図１の従来例参照）。
【００２３】
そして、図５に示すように、貫孔２２は、作動端２１２が下向きの場合、その一端開口２２１（図中の上端開口）が、継手本体１１の周壁に設置されている係止穴１１５に臨むように配置されている。
【００２４】
また、図５及び図７に示すように、ロックピン４１は、貫孔２２内に図中上下方向に摺動可能に設置され、且つ、バネ４２によって上方に付勢されている。それにより、ロックピン４１は、作動端２１２が下向きの場合、その先端４１１がバネ４２によって係止穴１１５に挿入され、レバー本体２１の不意な回動を防止することができる。なお、バネ４２は、その両端が、それぞれ、貫孔２２の他端開口２２２（図中の下端開口）内に固定されているリング４３と、ロックピン４１の先端４１１近くに形成されている環状突起４１３とに当接することによってロックピン４１を図中上方に向かって付勢している（図２も参照）。
【００２５】
本実施例１のレバー本体２１は、図２に示すように、その作動端２１２の端面２１４における一端側に突台２３が突出しており、他端側に貫孔２２の他端開口２２２があり、また、貫孔２２の他端開口２２２から露出しているロックピン４１の末端４１２近くに、枢接孔４１２０が形成されている。枢接孔４１２０は、図５における上下方向に延びている第１部分４１２１と、中央が該第１部分４１２１の下端と連通するように図５における左右方向に延びている第２部分４１２２とから構成されている。
【００２６】
作動部３１は、レバー本体２１の作動端２１２側と枢接されている一端側が枢接端３１１側となり、該枢接端３１１側から離れた他端側が操作端３１２側となっている。
【００２７】
詳細には、図２に示すように、作動部３１の枢接端３１１側における枢接端３１１は、その一端側３１１１で作動端２１２における突台２３を挟み、他端側３１１２でロックピン４１の末端４１２を挟んでおり、且つ、枢接端３１１における一端側３１１１が突台２３と共に第一枢接ピン３２に貫通され、他端側３１１２がロックピン４１の末端４１２における枢接孔４１２０と共に第二枢接ピン３３に貫通されている。
【００２８】
なお、作動部３１における第一枢接ピン３２及び第二枢接ピン３３は、枢支ピン１１３と平行になっている。
【００２９】
上記構成による本実施例１のホース継手用手動レバーは、作動部３１の操作端３１２が、一端側３１１１の枢軸である第一枢接ピン３２を中心として前記一端側３１１１の方へ上方に回動されると、他端側３１１２の第二枢接ピン３３が斜め下方（図７における右下方向）へ移動しながら、枢接孔４１２０における第２部分４１２２に当接してロックピン４１を下へ引っ張り、ロックピン４１における先端４１１が係止穴１１５から脱出することで、ロックピン４１によるロックを解除することができ、更に、作動部３１が同方向に回動され続けると、レバー本体２１と共にホース継手用手動レバー全体が枢支ピン１１３を中心として、カム手段２１３の係止用溝１２２に対する固持を解除する解除位置、つまり作動端２１２が上向きになる位置まで回動される（図５及び図７参照）。
【００３０】
ちなみに、図５〜図６に示すように、ロックピン４１の枢接孔４１２０は、その第２部分４１２２が作動部３１の延在方向と直交するように延びているので、第二枢接ピン３３の作動部３１の回動により、第二枢接ピン３３が図中の枢接孔（４１２０）で斜め下方（図５における右下方向）に移動することができる。
【００３１】
また、本実施例１のホース継手用手動レバーは、ロックピン４１の先端４４１の端面が斜面となっているので、作動部３１が解除位置から下方に回動されると、従来の手動レバー１３と同様に、ロックピン４１は、その先端４１１が作動部３１の回動に伴い徐々に貫孔２２内に入り、係止穴１１５に臨む位置まで達した瞬間に貫孔２２から突出して係止穴１１５に挿入し、係止穴１１５に係止されるようになり、ホース１２を固持する固持位置、つまり作動端２１２が下向きになる位置まで戻ると共に、前記固持位置で、ロックすることができる（図８参照）。
【実施例２】
【００３２】
図９〜図１２に示すように、本実施例２のホース継手用手動レバーは、その構成が実施例１のホース継手用手動レバーの構成と似ているため、以下ではその相違点のみを説明する。
【００３３】
本実施例２におけるロックピン４１の環状突起４１３には、上面４４１及び下面４４２（ここでいう上下とは、上記と同様に、作動端２１２が下向きの時の上下である）を有する作動穴４４が開けてある。
【００３４】
レバー本体２１の、貫孔２２の隣に作動溝２４が形成されており、また、作動溝２４の内壁に係止凹部２４１が形成されている。
【００３５】
作動部３１は、枢接端３１１側が作動溝２４内に入り、且つ第一枢接ピン３２によって作動端２１２側と枢接されている。
【００３６】
また、作動部３１は、枢接端３１１の一側に、突起３１３が貫孔２２に挿入する上、ロックピン４１における作動穴４４に延在するように形成され、他側に、係止突部３１４が作動溝２４の係止凹部２４１に嵌入できるように形成されている。
【００３７】
上記構成による本実施例２のホース継手用手動レバーは、作動部３１の操作端３１２が、第一枢接ピン３２を中心として枢接端３１１の他側に回動されると、突起３１３がロックピン４１の作動穴４４における下面４４２を押し付け、ロックピン４１を下へ移動させ、ロックピン４１における先端４１１（図１０における上端）を係止穴１１５から脱出させることで、ロックピン４１によるロックを解除する。更に、作動部３１が同方向に回動され続けると、レバー本体２１と共にホース継手用手動レバー全体が枢支ピン１１３を中心として、カム手段２１３の係止用溝１２２への固持を解除する解除位置、つまり作動端２１２が上向きになる位置まで回動される（図１０及び図１２参照）。
【００３８】
なお、本実施例２のホース継手用手動レバーは、ロックピン４１の先端４１１が係止穴１１５から脱出するまで作動部３１が回動された際、その枢接端３１１の他側にある係止突部３１４が作動溝２４の内壁の係止凹部２４１に嵌入し、レバー本体２１との相対位置を一時保持することができるので、操作の利便性が向上する。
【実施例３】
【００３９】
図１３〜図１７に示すように、本実施例３のホース継手用手動レバーは、その構成が実施例２のホース継手用手動レバーの構成と似ているため、以下ではその相違点のみを説明する。
【００４０】
本実施例３におけるロックピン４１の作動穴４４は、その下面４４２が上面４４１と平行になるのではなく、傾斜面となっている（以下、第一傾斜面４４２と称す）。
【００４１】
また、作動部３１の枢接端３１１に、作動ラグ３４が第二枢接ピン３３によって枢接されていて枢接端３１１から突出している。
【００４２】
図１４〜図１６に示すように、作動ラグ３４における突出端の先端面３４１は、第一傾斜面４４２と対応するように傾斜する第二傾斜面３４１となる上、作動穴４４の中に突出して第一傾斜面４４２と密接している。
【００４３】
上記構成による本実施例３のホース継手用手動レバーは、作動部３１の操作端側の操作端３１２が、第一枢接ピン３２を中心として作動穴４４のある方向と反対方向（図１７参照）に回動されると、作動ラグ３４が作動穴４４のある方向に押し付けられ、第二傾斜面の第一傾斜面に対する押圧力で、ロックピン４１を下方へ移動させ、ロックピン４１における先端４１１を係止穴１１５から脱出させることで、ロックピン４１によるロックを解除し、更に、作動部３１が同方向に回動され続けると、レバー本体２１と共にホース継手用手動レバー全体が枢支ピン１１３を中心として解除位置まで回動される。
【００４４】
なお、本実施例２のホース継手用手動レバーは、作動部３１の操作端３１２が第一枢接ピン３２を中心として作動穴４４のある方向と反対方向（図１７参照）に回動される際、作動ラグ３４の第二傾斜面３４１が、第二枢接ピン３３による作動ラグ３４の枢接によって、第一傾斜面４４２との密接を維持しながら作動穴４４の第一傾斜面４４２を下方に押し付けることができる。
【産業上の利用可能性】
【００４５】
前記実施例から分かるように、本発明の手動レバーをホース継手用に使用すると、前記作動部を外側へ上向きに回動するのみで、前記ロックピンによるロックの解除も、手動レバーの解除位置への回動も同時にできるので、従来の二方向に力をかける必要がなく、片手での操作に非常に便利である。
【符号の説明】
【００４６】
１０  ホース継手
１１  継手本体
１１１  中孔
１１２  周壁
１１３  枢支ピン
１１４  通孔
１１５  係止穴
１１６  周壁
１２  ホース
１２１  外壁
１２２  係止用溝
１３  従来の手動レバー
２１  レバー本体
２１１  枢支端
２１２  作動端
２１３  カム手段
２１４  端面
２２  貫孔
２２１  一端開口
２２２  他端開口
２３  突台
２４  作動溝
２４１  係止凹部
３１  作動部
３１１  枢接端
３１１１  一端側
３１１２  他端側
３１２  操作端
３１３  突起
３１４  係止突部
３２  第一枢接ピン
３３  第二枢接ピン
３４  作動ラグ
３４１  第二傾斜面
４１  ロックピン
４１１  先端
４１２  末端
４１２０  枢接孔
４１２１  第１部分
４１２２  第２部分
４１３  環状突起
４２  バネ
４３  リング
４４  作動穴
４４１  上面
４４２  下面、第一傾斜面
【図１】
2012013128.tif 000003
【図２】
2012013128.tif 000004
【図３】
2012013128.tif 000005
【図４】
2012013128.tif 000006
【図５】
2012013128.tif 000007
【図６】
2012013128.tif 000008
【図７】
2012013128.tif 000009
【図８】
2012013128.tif 000010
【図９】
2012013128.tif 000011
【図１０】
2012013128.tif 000012
【図１１】
2012013128.tif 000013
【図１２】
2012013128.tif 000014
【図１３】
2012013128.tif 000015
【図１４】
2012013128.tif 000016
【図１５】
2012013128.tif 000017
【図１６】
2012013128.tif 000018
【図１７】
2012013128.tif 000019